(57)【要約】【課題】労力の軽減と調整時間の短縮を図り、併せて利用客の不便を軽減したエレベータの秤装置の調整方法を提供する。【解決手段】かご１１を無負荷で停止させて秤装置１６の出力値を読み取り、記録手段３６に現に記録されている無負荷時の出力値との差値を演算し、更に、無負荷のかご１１を昇降路１に固定した後、巻上機４の制動機６を開放してかご１１側の主索７を釣合い錘１７によって緊張させ、このときの秤装置１６の出力値を読み取って記録手段３６に現に記録されているバランス荷重時の出力値との差値を演算した後、演算された各差値に基いて秤装置１６の出力値を補正してかご１１の積載荷重を算出するようにしたものである。【選択図】　　　　図１
2004099303.tif 000002
【特許請求の範囲】
【請求項１】
かごを制止させる制動機を備えた巻上機に主索を巻き掛け、上記主索の一方で上記かごを吊持し、他方で上記かごに所定の荷重が積載されたときにバランスするように重量設定された釣合い錘を吊持したエレベータに上記かごの積載荷重を計測する秤装置を取り付け、上記かごを無負荷にしたときとバランス荷重を積載したときの上記秤装置の各出力値を記録手段に予め記録しておき、この記録された上記各出力値に基いて上記秤装置の出力値から上記かごの積載荷重を算出するようにしたエレベータの秤装置の無負荷とバランス荷重の上記出力値を、下記ステップによって演算された差値に基いて補正し、この補正された上記秤装置の出力値に基いて上記かごの積載荷重を算出するようにしたエレベータの秤装置の調整方法。
上記かごを無負荷で停止させた後上記秤装置の出力値を読み取り、この読み取った上記出力値と上記記録手段に現に記録されている上記無負荷時の出力値との差値を演算する無負荷時差値演算ステップと、無負荷の上記かごを昇降路に固定するかご固定ステップと、このかご固定ステップによって上記かごが固定された状態で上記制動機を開放して上記かご側の上記主索を上記釣合い錘によって緊張させる制動機開放ステップと、この制動機開放ステップによって上記かご側の上記主索が緊張したときの上記秤装置の出力値を読み取り、この読み取った上記出力値と上記記録手段に現に記録されている上記バランス荷重時の出力値との差値を演算するバランス荷重時差値演算ステップ。
【請求項２】
かごを制止させる制動機を備えた巻上機に主索を巻き掛け、上記主索の一方で上記かごを吊持し、他方で上記かごに所定の荷重が積載されたときにバランスするように重量設定された釣合い錘を吊持したエレベータに上記かごの積載荷重を計測する秤装置を取り付け、上記かごを無負荷にしたときとバランス荷重を積載したときの上記秤装置の各出力値を記録手段に予め記録しておき、この記録された上記各出力値に基いて上記秤装置の出力値から上記かごの積載荷重を算出するようにしたエレベータの秤装置の無負荷とバランス荷重の上記出力値を下記ステップで書き替え、この書き替えられた上記各出力値に基いて上記秤装置の出力値から上記かごの積載荷重を算出するようにしたエレベータの秤装置の調整方法。
上記かごを無負荷で停止させた後上記秤装置の出力値を読み取り、この読み取った出力値で上記記録手段に現に記録されている無負荷時の出力値を書き替える無負荷時出力書替ステップと、無負荷の上記かごを昇降路に固定するかご固定ステップと、このかご固定ステップによって上記かごが固定された状態で上記制動機を開放して上記かご側の上記主索を上記釣合い錘によって緊張させる制動機開放ステップと、この制動機開放ステップによって上記かご側の上記主索が緊張したときの上記秤装置の出力値を読み取り、この読み取った出力値で上記記録手段に現に記録されているバランス荷重時の出力値を書き替えるバランス荷重時出力書替ステップ。
【請求項３】
かごは、主索が係止されたかご枠と、このかご枠に弾性体を介して取り付けられたかご室からなるものとし、秤装置は、積載荷重による上記弾性体の伸縮による上記かご枠と上記かご室との相対移動量を検出するものとし、かご固定ステップは、上記かご室を昇降路に固定するものとした請求項１又は２に記載のエレベータの秤装置の調整方法。
【請求項４】
かごは、弾性体を介して主索に吊持されたものとし、秤装置は、積載荷重による上記弾性体の伸縮による上記かごと上記主索との相対移動量を検出するものとした請求項１又は２に記載のエレベータの秤装置の調整方法。
【請求項５】
主索は、かごに取り付けられた吊り車に巻き掛けられて上記かごを吊持して端部が弾性体を介して昇降路に係止されたものとし、秤装置は、積載荷重による上記弾性体の伸縮による上記主索の上記端部の移動量を検出するものとした請求項１又は２に記載のエレベータの秤装置の調整方法。
【請求項６】
かご固定ステップは、索条の一端をかごに係止し他端を昇降路に係止することにより上記かごを上記昇降路に固定するものとした請求項１又は２に記載のエレベータの秤装置の調整方法。
【請求項７】
索条は、中間部に長さを調節する調節具が装着され、かご及び昇降路に係止された後、上記調節具で弛張されるものとした請求項６に記載のエレベータの秤装置の調整方法。
【請求項８】
かご固定ステップは、かごの下位で昇降路に横梁を固設した後、上記かごと上記横梁との間に連結部材を垂設して上記かごを上記横梁に固定するものとした請求項１又は２に記載のエレベータの秤装置の調整方法。
【発明の詳細な説明】
【０００１】
【発明の属する技術分野】
この発明は、エレベータの秤装置の調整方法に関するもので、特に、秤装置の特性変化を調整する方法に係るものである。
【０００２】
【従来の技術】
エレベータの秤装置は、かごを無負荷にしたときとバランス荷重を積載したときの秤装置の各出力値から、秤装置の出力とかごの荷重とが関連付けられる。この関連付けによって秤装置の任意の出力に対してかごの積載荷重が演算されるようになっている。
そこで、かごが無負荷とバランス荷重が積載されたときの秤装置の各出力値は、エレベータが据付けられた当初に、上記積載荷重と共に制御装置に記録される。この記録された積載荷重と秤装置の出力値との関係が変化した場合は、積載荷重を正確に計測することができない。このため、かごが起動するときにショックが発生して、円滑な制御ができなくなる。
【０００３】
従って、無負荷とバランス荷重に対する秤装置の出力値は、稼動状態になってからも重要な保守点検事項であり、積載荷重と秤装置の出力値との関係が変化している場合は秤装置を調整する必要がある。
図１２及び図１３は、従来のエレベータの秤装置の調整方法を示す。
図１２は無負荷で昇降行程の中間に停止したかごの正面を示す昇降路縦断面図であり、昇降路１の頂部に横設された機械室床３には巻上機４が設置されている。巻上機４は綱車４ａと、この綱車４ａを駆動する電動機５と、綱車４ａを制動させる制動機６とからなり、綱車４ａには主索７が巻き掛けられており、主索７の両端にはロープシャックル８が取り付けられている。
【０００４】
かご１１はかご枠１３と、このかご枠１３に支持されたかご室１４からなる。かご枠１３はかご室１４の上部に横設された上枠１３ａと、かご室１４の両側に立設された竪枠１３ｂと、かご室１４の下部に横設された下枠１３ｃとからなる。かご室１４は防振ゴム１５を介して下枠１３ｃに支持されている。従って、かご室１４は積載荷重によって上下に移動する。かご室１４の下面には秤装置１６が取り付けられていて、かご室１４の上下動に応じた信号を出力するようになっている。上枠１３ａにはコイルばね１２を介してロープシャックル８が係止されている。従って、かご１１はコイルばね１２及びロープシャックル８を介して主索７に吊持されている。
【０００５】
かご１１の両側には、昇降路側壁２に植設されたレールブラケット２２に取り付けられたガイドレール２１が立設されており、かご１１はガイドレール２１に案内されて昇降するようになっている。
また、釣合い錘１７は上記かごに所定の荷重が積載されたときにバランスするように重量設定されており、同様にロープシャックル８を介して主索７に吊持され、カイドレール（図示しない。）に案内されて昇降するようになっている。
また、昇降路側壁２にはケーブルハンガ２４が突設されていて、かご室１４との間に制御ケーブル２３が懸架されている。
【０００６】
図１３は、釣合い錘１７と丁度釣り合うバランス荷重相当分のテストウエイト１８が積載されて昇降行程の中間に停止したときのかご１１の正面を示す昇降路縦断面図である。
ここで、かご枠１３の自重をＷａ、かご室１４の自重をＷｃ、釣合い錘１７の自重をＷｗ、かご１１から巻上機４迄の主索８の重量をＷｒｃ、釣合い錘１７から巻上機４迄の重量をＷｒｗ、かご１１にかかる制御ケーブル２３の重量をＷｓとする。
【０００７】
無負荷時は、秤装置１６はかご室１４の自重Ｗｃを検出する。このときの秤装置１６の出力はかご１１が無負荷の状態であることを制御装置に教示することにより秤装置１６の調整をする。
かご室１４にバランス荷重を載せて釣合い錘１７とバランスさせる場合は、かご１１を昇降行程の中間に停止させた後、テストウエイト１８をかご室１４内へ搬入する。かご１１側の主索７の張力Ｔｂは、下記式１で表される。
Ｔｂ＝Ｗａ＋Ｗｃ＋Ｗｂ＋Ｗｒｃ＋Ｗｓ　　………（１）
また、釣合い錘１７側の主索７の張力Ｔｗは、下記式２で表される。
Ｔｗ＝Ｗｗ＋Ｗｒｗ　　　………（２）
【０００８】
バランス状態では、Ｔｂ＝Ｔｗとなり、制動機６を手動で開放しても、巻上機４は制止したままとなる。また、巻上機４からかご１１までの主索７の重量Ｗｒｃは、巻上機４から釣合い錘１７までの主索７の重量Ｗｒｗに略等しいから、Ｗｒｃ＝Ｗｒｗとなる。従って、下記式３が成立する。
Ｗａ＋Ｗｃ＋Ｗｂ＋Ｗｓ＝Ｗｗ　　………（３）
このとき、秤装置１６はかご室１４の自重Ｗｃとテストウエイト重量Ｗｂの合計値を検出する。この秤装置１６の出力はかご１１がバランス荷重のときのものであることを制御装置に教示することにより秤装置１６の調整をする。
ここで、無負荷のときの秤装置１６の出力値及びバランス荷重時の秤装置１６の出力値が記録された値と異なっている場合は、最新の上記各出力値によって秤装置１６を調整しなければならない。
【０００９】
【発明が解決しようとする課題】
従来のエレベータの秤装置の調整方法は、上記のとおり行われていたので、秤装置１６を調整するには、テストウエイト１８をかご室１４内へ搬入しなければならず、多大な労力と時間を必要とした、という問題があった。加えて、テストウエイト１８は重量物であり、落下させて建物を損傷しないように、その取扱いには十分な注意を要した、という問題もあった。
また、エレベータは現に使用に供されているものであるから、秤装置の調整にエレベータを長時間占有することは、利用客にも多大な迷惑をかけることになる、という問題もあった。
【００１０】
この発明は、上記問題点を解決するためになされたものであり、テストウエイトをかごに積載することなく秤装置を調整するようにして、労力の軽減と調整時間の短縮を図り、併せて利用客の不便を軽減したエレベータの秤装置の調整方法を提供することを目的とする。
【００１１】
【課題を解決するための手段】
この発明に係る請求項１に記載のエレベータの秤装置の調整方法は、かごを無負荷で停止させて秤装置の出力値を読み取り、記録手段に現に記録されている無負荷時の出力値との差値を演算し、更に、無負荷のかごを昇降路に固定した後、制動機を開放してかご側の主索を釣合い錘によって緊張させ、このときの秤装置の出力値を読み取って記録手段に現に記録されているバランス荷重時の出力値との差値を演算した後、演算された上記各差値に基いて秤装置の出力値を補正してかごの積載荷重を算出するようにしたものである。
【００１２】
この発明に係る請求項２に記載のエレベータの秤装置の調整方法は、かごを無負荷で停止させた後秤装置の出力値を読み取り、この読み取った出力値で記録手段に現に記録されている無負荷時の出力値を書き替え、更に、無負荷のかごを昇降路に固定した後、制動機を開放してかご側の主索を釣合い錘によって緊張させたときの秤装置の出力値を読み取り、この読み取った出力値で記録手段に現に記録されているバランス荷重時の出力値を書き替え、この書き替えられた各出力値に基いて秤装置の出力値からかごの積載荷重を算出するようにしたものである。
【００１３】
この発明に係る請求項３に記載のエレベータの秤装置の調整方法は、請求項１又は２に記載のエレベータの秤装置の調整方法において、秤装置は、かご枠と、このかご枠に弾性体を介して取り付けられたかご室との間に装着されて弾性体の伸縮によるかご枠とかご室との相対移動量を検出するものとし、バランス荷重時の秤装置の出力値は、かご室を昇降路に固定して制動機を開放したときの秤装置の出力値としたものである。
【００１４】
この発明に係る請求項４に記載のエレベータの秤装置の調整方法は、請求項１又は２に記載のエレベータの秤装置の調整方法において、主索がかごに係止される部位に弾性体を介在させ、秤装置は、積載荷重による弾性体の伸縮によるかごと主索との相対移動量を検出するようにしたものである。
【００１５】
この発明に係る請求項５に記載のエレベータの秤装置の調整方法は、請求項１又は２に記載のエレベータの秤装置の調整方法において、主索は、かごに取り付けられた吊り車に巻き掛けられてかごを吊持して端部が弾性体を介して昇降路に係止され、秤装置は弾性体の伸縮による主索の端部の移動量を検出するようにしたものである。
【００１６】
この発明に係る請求項６に記載のエレベータの秤装置の調整方法は、請求項１又は２に記載のエレベータの秤装置の調整方法において、かごは、一端がかごに係止され他端が昇降路に係止された索条により上記昇降路に固定されるようにしたものである。
【００１７】
この発明に係る請求項７に記載のエレベータの秤装置の調整方法は、請求項６に記載のエレベータの秤装置の調整方法において、索条は、中間部に長さを調節する調節具が装着され、この調節具で弛緩されるようにしたものである。
【００１８】
この発明に係る請求項８に記載のエレベータの秤装置の調整方法は、請求項１又は２に記載のエレベータの秤装置の調整方法において、かごは、かごの下位で昇降路に固設された横梁に係止されて垂設された連結部材を介して固定されるようにしたものである。
【００１９】
【発明の実施の形態】
実施の形態１．
図１から図６は、この発明の実施の形態１を示す。
図１は昇降行程の中間で昇降路に固定した無負荷のかごの正面を示す昇降路縦断面図である。１は昇降路、２は昇降路側壁、３は機械室床、４は機械室床３に設置された巻上機で、綱車４ａと、この綱車４ａを駆動する電動機５と、綱車４ａを制動させる制動機６とからなる。７は綱車４ａに巻き掛けられた主索、８は主索７の両端に取り付けられたロープシャックルである。
１７はかごに所定の荷重が積載されたときにバランスするように重量設定された釣合い錘で、同様にロープシャックル８を介して主索７に吊持され、カイドレール（図示しない。）に案内されて昇降するようになっている。
【００２０】
１１はかご枠１３と、このかご枠１３に支持されたかご室１４で構成されたかごで、かご枠１３はかご室１４の上部に横設された上枠１３ａと、かご室１４の両側に立設された竪枠１３ｂと、かご室１４の下部に横設された下枠１３ｃとからなる。１２は上枠１３ａとロープシャックル８の間に取り付けられたコイルばねである。従って、かご１１はコイルばね１２及びロープシャックル８を介して主索７に吊持されている。１５はかご室１４を下枠１３ｃに弾性支持する防振ゴムである。従って、かご室１４は積載荷重によって上下に移動する。１６はかご室１４の下面に取り付けられた秤装置で、かご室１４の上下動に応じた信号を出力するものである。
【００２１】
２１はかご１１の両側に立設されたガイドレール、２２は昇降路側壁２に植設されてガイドレール２１が取り付けられたレールブラケット、２３はかご室１４と昇降路側壁２の間に懸架された制御ケーブル、２４は昇降路側壁２に突設されて制御ケーブル２３が取り付けられたケーブルハンガである。
２５はかご室１４の下面に取り付けられた一対のアイボルト、２６はワイヤロープからなる索条で、両端にはフック２７が取り付けられており、一端はアイボルト２５に係止される。２８はＵ字形本体とこの本体の両端を橋絡するボルトからなるシャックルで、ガイドレール２１がレールブラケット２２に取り付けられた部位でガイドレール２１を抱持し、フック２７を介してワイヤロープ２６の他端が係止されている。
【００２２】
図２は、秤装置１６の詳細を示す縦断面図である。即ち、下枠１３ｃに取り付けられたシリンダ１６ａの外周には電磁コイル１６ｂが券回され、シリンダ１６ａにはかご室１４の下面に突設されたプランジャ１６ｃの前半部分が遊挿されている。従って、プランジャ１６ｃは、かご室１４の積載荷重による防振ゴム１５の伸縮によって進退する。
【００２３】
ここで、かご室１４が索条２６によって昇降路１に固定された状態で制動機６を開放すると、かご１１側の主索７の張力Ｔｃと釣合い錘１７側の主索７の張力Ｔｗは等しくなる。この時、索条２６に作用する垂直成分の力をＷ１ｖ及びＷ２ｖとすると、かご１１側の主索７の張力Ｔｃは、下記式４で表される。
Ｔｂ＝Ｗａ＋Ｗｃ＋（Ｗ１ｖ＋Ｗ２ｖ）＋Ｗｒｃ＋Ｗｓ　　………（４）
また、釣合い錘１７側の主索７の張力Ｔｗは、上記式２で表される。
制動機６は開放されているからＴｃ＝Ｔｗの関係が成立する。ここで、巻上機４からかご１１までの主索７の重量Ｗｒｃは、巻上機４から釣合い錘１７までの主索７の重量Ｗｒｗに略等しいから、Ｗｒｃ＝Ｗｒｗとなる。従って、下記式５が成立する。
Ｗａ＋Ｗｃ＋（Ｗ１ｖ＋Ｗ２ｖ）＋Ｗｓ＝Ｗｗ　　………（５）
式５を上記式３と比較すると、下記式６が成立する。
Ｗ１ｖ＋Ｗ２ｖ＝Ｗｂ　　………（６）
つまり、かご室１４を昇降路１に固定して制動機６を開放することにより、バランス状態となり、秤装置１６にはかご室１４にバランス荷重のテストウエイト１８が積載された図１３の場合と等価な荷重がかかった状態になる。
【００２４】
図３は、秤装置１６によって積載荷重を検出する電気回路のブロック図である。図中、図１及び図２と同符号は同一部分を示す。３１は電磁コイル１６ｂに印加される交流電源、３２はダイオード、３３は中間に可動端子３３ａが取り付けられた抵抗、３４は秤装置１６を調整する調整モードと稼動状態にする運転モードを択一する切替スイッチである。
３５は読取指令を受けて手動操作で入力される無負荷Ｗｏ（＝０）とバランス荷重Ｗｂの識別信号と同期して切替スイッチ３４を介して入力される秤装置１６の出力値Ｖｏ′及びＶｂ′を読み取る読取手段である。この実施の形態１では、上記のとおり、かご室１４を昇降路１に係止して制動機６を開放したときの秤装置１６の出力値がバランス荷重Ｗｂを積載したときの秤装置１６の出力値Ｖｂ′として読み取られる。
【００２５】
３６は、図１２及び図１３に示したとおり、エレベータを据え付けた当時の秤装置１６の調整で、かご室１４を無負荷Ｗｏにしたときとバランス荷重Ｗｂを積載したときの秤装置１６の各出力値Ｖｏ及びＶｂが記録された記録手段である。３７は、記録手段３６に記録された出力値Ｖｏ及びＶｂと、読取手段３５で読み取られた出力値Ｖｏ′及びＶｂ′との差値ΔＶｏ及びΔＶｂを演算する差値演算手段である。
３８は、差値ΔＶｏ及びΔＶｂに基いて秤装置１６の出力値Ｖ′に対する補正値ΔＶを演算する補正値演算手段である。
３９はエレベータが運転状態にあるときの秤装置１６の出力値Ｖ′に対し、補正値演算手段３８に補正値ΔＶを演算させて補正する補正手段である。
４０は補正された秤装置１６の出力値Ｖに基いてかご室１４の積載荷重Ｗを演算する積載荷重演算手段である。
【００２６】
図４は差値演算手段３７の動作説明図で、秤装置１６は、防振ゴム１５の変形等で特性が変化し、いわゆるドリフトを生じる。即ち、図において、当初は、実線で示したとおりの特性を有し、無負荷Ｗｏでは秤装置１６の出力値はＶｏであり、この出力値Ｖｏが記録手段３６に記載される。同様にバランス荷重Ｗｂでは出力値はＶｂであり、この出力値Ｖｂが記録手段３６に記載される。定格積載荷重Ｗｆでは、出力値はＶｆになる。
その後、防振ゴム１５が変形して無負荷Ｗｏでは秤装置１６の出力値はＶｏ′となり、また、バランス荷重Ｗｂでは出力値はＶｂ′になったとする。差値演算手段３７では、それぞれ差値ΔＶｏ＝Ｖｏ−Ｖｏ′、ΔＶｂ＝Ｖｂ−Ｖｂ′が演算される。なお、出力値Ｖｃｐで差値ΔＶ＝０となり、定格積載荷重Ｗｆでは差値ΔＶｆはマイナスとなる。
【００２７】
図５は、補正値演算手段３８の動作説明図で、差値演算手段３７で求められた差値ΔＶｏ及びΔＶｂに基いて、他の出力値Ｖ′に対する補正値ΔＶを演算する算式ｆ（Ｖ′）を求める。この実施の形態１では、図５に示したとおり、点（Ｖｏ′，ΔＶｏ）と（Ｖｂ′，ΔＶｂ）の２点を通る直線の方程式として求めることができる。
【００２８】
図６に基いて動作を説明する。手順Ｓ１１で、かご１１を無負荷の状態にし、手順Ｓ１２で、昇降路１の中間部、正確には昇降行程の中間点にかご１１を停止させて、かご１１側の主索７と釣合い錘１７側の主索７がバランスするようにする。手順Ｓ１３で、切替スイッチ３４を「運転」から「調整」へ切り替える。手順Ｓ１４で、要すれば可動端子３３ａを操作して無負荷時の出力値Ｖｏ′を適当な値に設定する。手順Ｓ１５で、読取手段３５に無負荷である旨と読取指令の信号を入力して秤装置１６の出力値Ｖｏ′を読み取らせる。手順Ｓ１６で、記録手段３６に記録された出力値Ｖｏを読み取る。手順Ｓ１７で、差値ΔＶｏ＝Ｖｏ−Ｖｏ′を演算する。
【００２９】
手順Ｓ１８で、図１に示したとおり、かご室１４を昇降路１に固定する。手順Ｓ１９で、制動機６を開放して巻上機４を回動自在な状態にする。これによって、秤装置１６にはかご室１４にバランス荷重が積載された場合と等価な荷重がかかったことになる。手順Ｓ２０で、読取手段３５にバランス荷重である旨と読取指令の信号を入力して秤装置１６の出力値Ｖｂ′を読み取らせる。手順Ｓ２１で、記録手段３６に記録された出力値Ｖｂを読み取る。手順Ｓ２２で、差値ΔＶｂ＝Ｖｂ−Ｖｂ′を演算する。手順Ｓ２３で、差値ΔＶｏ及びΔＶｂに基いて秤装置１６の出力値Ｖ′に対する補正値ΔＶを演算する算式ΔＶ＝ｆ（Ｖ′）を設定する。
【００３０】
以上で、秤装置１６の調整は実質終了し、以下、事後処理である。手順Ｓ２４で、切替スイッチ３４を「調整」から「運転」へ切り替える。手順Ｓ２５で、制動機６を作動させて巻上機４を拘束する。手順Ｓ２６で、図１に示したワイヤロープ２６を外し、かご室１４を解放してエレベータを稼動状態にする。手順Ｓ２７で、秤装置１６の出力値Ｖ′は補正手段３９に入力され、補正値ΔＶで補正される。この補正によってドリフト発生前の出力値Ｖが算出されて積載荷重Ｗに換算される。即ち、かご室１４の積載荷重Ｗに見合った計測がなされることになる。
【００３１】
上記実施の形態１によれば、かご室１４を昇降路１に固定して制動機６を開放することにより、秤装置１６にはかご室１４にバランス荷重を積載した場合と等価な状態にすることができるので、かご室１４へテストウエイトを搬入する必要がない。
このため、テストウエイト搬入の労力を省くことができ、替わって運搬の容易なワイヤロープ２６とシャックル２８で代替できるので、秤装置１６の調整作業が容易になり、時間の短縮を図ることもできる。結果的に利用客の不便も軽減することができる。
【００３２】
実施の形態２．
この実施の形態２は、記録手段に予め記録された無負荷とバランス荷重を積載したときの秤装置の出力値を、新たに読み取った各出力値で書き替え、この書き替えられた各出力値に基いてかごの積載荷重を算出するようにしたものである。即ち、上記実施の形態１では、秤装置の出力値と積載荷重の関係式はそのままにして秤装置の出力値を補正してドリフト発生前の値にするようにしたが、この実施の形態２では、秤装置の出力値と積載荷重の関係式を新たに設定するようにしたものである。
【００３３】
図７及び図８は、この発明の実施の形態２を示す。
図７は、秤装置１６によって積載荷重を検出する電気回路のブロック図で、図１から図３と同符号は同一部分を示す。
即ち、無負荷のかご１１を昇降路１の中間部に停止させた後、かご室１４を昇降路１に係止する。切替スイッチ３４を、運転モードから調整モードへ切り替えて、読取手段３５によって無負荷とバランス荷重積載時の秤装置１６の出力値Ｖｏ′及びＶｂ′を読み取る。この実施の形態２においても、実施の形態１と同様に、バランス荷重積載時の秤装置１６の出力値Ｖｂ′は、かご室１４を昇降路１に係止して制動機６を開放したときの秤装置１６の出力値である。
【００３４】
４１は、読み取られた秤装置１６の出力値Ｖｏ′及びＶｂ′で記録手段３６に記録された内容を書き替える書替手段である。４２は書き替えられた各出力値Ｖｏ′及びＶｂ′に基いて積載荷重Ｗを算出する算式を新たに設定し、この算式に基いてかご１１の積載荷重Ｗを算出する積載荷重演算手段である。即ち、図４に示したとおり、秤装置１６の出力値Ｖと積載荷重Ｗの関係式を、それ迄のＷ＝Ｆ（Ｖ）から、Ｗ＝Ｆ′（Ｖ′）に変更するものである。
【００３５】
図８に従って動作を説明する。図中、図６と同符号の手順は、同一の処理内容であることを示す。手順Ｓ１１から手順Ｓ１５で、かご１１を無負荷にして秤装置１６を調整モードに設定した後、出力値Ｖｏ′を読み取る。手順Ｓ１５ａで、記録手段３６に記録された無負荷時の秤装置１６の出力値Ｖｏを新たに読み取られた出力値Ｖｏ′で書き替える。
【００３６】
手順Ｓ１８から手順Ｓ２０で、無負荷のかご室１４を昇降路１に固定した後制動機６を解放し、秤装置１６にバランス荷重相当の荷重を掛けた状態にする。手順Ｓ２０ａで、記録手段３６に記録されたバランス荷重時の秤装置１６の出力値Ｖｂを、新たに読み取られた出力値Ｖｂ′で書き替える。手順Ｓ２１ａで、書き替えられた出力値Ｖｏ′及びＶｂ′に基いて、出力値Ｖと積載荷重Ｗとの関係式を新たに設定する。具体的には、図４に二点鎖線で示した曲線になるが、秤装置１６として利用する部分は、直線部分であるから、（Ｖｏ′，Ｗｏ）及び（Ｖｂ′，Ｗｂ）の２点を通る直線の方程式Ｗ＝Ｆ′（Ｖ′）として求めることができる。
【００３７】
以下、事後処理として手順Ｓ２４から手順Ｓ２６で、切替スイッチ３４を「調整」から「運転」へ切り替えて制動機６を復帰させて巻上機４を拘束する。ワイヤロープ２６を外してかご室１４を解放し、エレベータを稼動状態にする。稼動状態では、手順Ｓ２７ａに示したとおり、手順Ｓ２１ａで新たに設定された積載荷重演算式Ｗ＝Ｆ′（Ｖ′）に基いて、秤装置１６の出力値を積載荷重に換算する。
【００３８】
上記実施の形態２によっても、実施の形態１と同様にテストウエイトに替わって運搬の容易なワイヤロープ２６とシャックル２８で代替できるので、秤装置１６の調整作業が容易になって時間の短縮を図ることができ、結果的に利用客の不便も軽減することができる。特に、ドリフトした後の秤装置１６の出力値Ｖ′から直接積載荷重を演算するようにしたので、演算処理を単純化させることができる。
【００３９】
実施の形態３．
図９は、この発明の実施の形態３を示す。
実施の形態１と同様に、かご室１４は防振ゴム１５を介して下枠１３ｃに取り付けられ、秤装置１６は防振ゴム１５の伸縮による下枠１３ｃとかご室１４との相対移動量を検出するものであるが、かご室１４の固定をワイヤロープ２６に替えて横梁を介して昇降路１に固定するようにしたものである。
図９において、図１と同符号は同一部分を示す。５１は昇降路１を横断してレールブラケット２２に下付けされた横梁、５２はレールブラケット２２に跨乗し横梁５１の両端を固定するハット形の固定具、５３は横梁５１とかご室１４の下面に突設されたブラケット５４とを連結する連結部材、５３ａは連結部材５３に穿設されたねじ孔である。
上記実施の形態３によっても、かご室１４は連結部材５３及び横梁５１を介して昇降路１に固定されるので、制動機６を解放することによって、秤装置１６にはバランス荷重がかご室１４に積載された場合と等価な荷重がかかった状態になり、秤装置１６の調整作業が容易になる。
【００４０】
実施の形態４．
図１０は、この発明の実施の形態４を示し、図中、図１と同符号は同一部分を示す。
この実施の形態４では、かご１１は、上枠１３ａがコイルばね１２を介して主索７に吊持されるものとし、秤装置１６は、積載荷重によるコイルばね１２の伸縮による上枠１３ａと主索７との相対移動量を検出するようにしたものである。かご１１は下枠１３ｃをチェーンブロック６１によってレールブラケット２２に固定するようにしたものである。なお、チェーンブロック６１は長さを自在に調節できる調節具としも機能するものである。
図１０においても、上記式５及び式６が成立する。つまり、Ｗａ＋Ｗｃ＋（Ｗ１ｖ＋Ｗ２ｖ）＋Ｗｓ＝Ｗｗとなり、（Ｗ１ｖ＋Ｗ２ｖ）はバランス荷重Ｗｂに相当する。
ここで、チェーンブロック６１も秤装置１６に荷重として寄与するので、その自重が問題となることはない。
【００４１】
上記実施の形態４によれば、秤装置１６が上枠１３ａと主索７の間に介在する場合であっても、かご１１を昇降路１に固定した後制動機６を解放することによって、秤装置１６にはバランス荷重を積載した場合と等価な荷重がかかった状態になり、秤装置１６の調整作業が容易になる。
特に、チェーンブロック６１によってかご１１を固定するようにしたので、下枠１３ｃとレールブラケット２２の距離に自在に対応でき、また、着脱も容易になる。
なお、かご１１は、かご枠１３を介して固定されるものとしたが、かご室１４を固定してもよい。
【００４２】
実施の形態５．
図１１は、この発明の実施の形態５を示し、図中、図１及び図１０と同符号は同一部分を示す。
この実施の形態５では、かご１１は吊り車６５を介して主索７に吊持され、釣合い錘１７も吊り車６５ａを介して主索７に吊持されている。かご１１側の主索７は端部がコイルばね１２を介して昇降路１の頂部に横設された機械室床３に係止され、秤装置１６は、積載荷重によるコイルばね１２の伸縮による主索７の端部の移動量を検出するようにしたものである。かご１１は索条であるロッド６６及び６７によって下枠１３ｃが昇降路１に固定され、ロッド６６及び６７には、互いに隣接する側の端部に、左右逆向きのねじが切られており、このねじにターンバックル６８が螺合してロッド６６及び６７の長さを調節できるようになっている。
【００４３】
図１１においては、上記式５及び式６が成立する。
Ｗｒｃ＋｛Ｗａ＋Ｗｃ＋（Ｗ１ｖ＋Ｗ２ｖ）＋Ｗｓ｝／２＝Ｗｒｗ＋Ｗｗ／２
………（７）
上式で（Ｗ１ｖ＋Ｗ２ｖ）はバランス荷重Ｗｂに相当する。
つまり、下枠１３ｃを昇降路１に固定して制動機６を開放することにより、バランス状態となり、秤装置１６にはかご室１４にバランス荷重のテストウエイト１８が積載された図１３の場合と等価な荷重がかかった状態になる。
【００４４】
上記実施の形態５によっても、主索７の端部がコイルばね１２を介して昇降路１に係止され、秤装置１６は主索７の端部の移動量を検出するエレベータであっても、かご１１を昇降路１に固定して制動機６を開放することにより、バランス状態と等価にすることができるので、秤装置１６の調整作業が容易になる。
特に、ロッド６６とロッド６７の間に、ターンバックル６８を介在させたので、かご１１とレールブラケット２２の間の距離に合わせて調節することができる。
なお、上記実施の形態５では、かご１１は下枠１３ｃを介して昇降路１に固定されるものとしたが、これに限られるものではなく、かご室１４であってもよい。
【００４５】
【発明の効果】
この発明は上記のとおり構成されているので、以下の効果を奏する。
この発明に係る請求項１に記載のエレベータの秤装置の調整方法は、かごを無負荷で停止させて秤装置の出力値を読み取り、記録手段に現に記録されている無負荷時の出力値との差値を演算し、更に、無負荷のかごを昇降路に固定した後、制動機を開放してかご側の主索を釣合い錘によって緊張させ、このときの秤装置の出力値を読み取って記録手段に現に記録されているバランス荷重時の出力値との差値を演算した後、演算された上記各差値に基いて秤装置の出力値を補正してかごの積載荷重を算出するようにしたものである。
このため、無負荷のかごを昇降路に固定して制動機を解放する、という操作でバランス荷重を積載したときと等価な状態を得ることができ、テストウエイトを必要としないので、テストウエイト搬入の労力を省くことができ、秤装置の調整作業が容易になる、という効果を奏する。
【００４６】
この発明に係る請求項２に記載のエレベータの秤装置の調整方法は、かごを無負荷で停止させた後秤装置の出力値を読み取り、この読み取った出力値で記録手段に現に記録されている無負荷時の出力値を書き替え、更に、無負荷のかごを昇降路に固定した後、制動機を開放してかご側の主索を釣合い錘によって緊張させたときの秤装置の出力値を読み取り、この読み取った出力値で記録手段に現に記録されているバランス荷重時の出力値を書き替え、この書き替えられた各出力値に基いて秤装置の出力値からかごの積載荷重を算出するようにしたものである。このものにあっても、上記請求項１と同様に秤装置の調整作業が容易になる、と共に、ドリフトした秤装置の出力値から直接積載荷重を演算するようにしたので、演算処理を単純化させることができる、という効果も奏する。
【００４７】
この発明に係る請求項３に記載のエレベータの秤装置の調整方法は、請求項１又は２に記載のエレベータの秤装置の調整方法において、秤装置は、かご枠と、このかご枠に弾性体を介して取り付けられたかご室との間に装着されて弾性体の伸縮によるかご枠とかご室との相対移動量を検出するものとし、バランス荷重時の秤装置の出力値は、かご室を昇降路に固定して制動機を開放したときの秤装置の出力値としたものである。
このため、かご室の床下に秤装置が設けられたエレベータであっても、同様に秤装置の調整作業が容易になる、という効果を奏する。
【００４８】
この発明に係る請求項４に記載のエレベータの秤装置の調整方法は、請求項１又は２に記載のエレベータの秤装置の調整方法において、主索がかごに係止される部位に弾性体を介在させ、秤装置は、積載荷重による弾性体の伸縮によるかごと主索との相対移動量を検出するようにしたものである。
このため、主索がかごに係止される部位に秤装置が設けられたエレベータであっても、同様に秤装置の調整作業が容易になる、という効果を奏する。
【００４９】
この発明に係る請求項５に記載のエレベータの秤装置の調整方法は、請求項１又は２に記載のエレベータの秤装置の調整方法において、主索は、かごに取り付けられた吊り車に巻き掛けられてかごを吊持して端部が弾性体を介して昇降路に係止され、秤装置は弾性体の伸縮による主索の端部の移動量を検出するようにしたものである。
このため、主索が昇降路に係止され部位に秤装置が設けられたエレベータであっても、同様に秤装置の調整作業が容易になる、という効果を奏する。
【００５０】
この発明に係る請求項６に記載のエレベータの秤装置の調整方法は、請求項１又は２に記載のエレベータの秤装置の調整方法において、かごは、一端がかごに係止され他端が昇降路に係止された索条により上記昇降路に固定されるようにしたものである。
このため、テストウエイトに替わって運搬の容易な索条で代替できるので、秤装置の調整作業が容易になる、という効果を奏する。
【００５１】
この発明に係る請求項７に記載のエレベータの秤装置の調整方法は、請求項６に記載のエレベータの秤装置の調整方法において、索条は、中間部に長さを調節する調節具が装着され、この調節具で弛緩されるようにしたものである。
このため、かごと昇降路１の係止部との間の距離に合わせて調節することができると共に、索条を弛張させることにより着脱を容易にすることができる、という効果を奏する。
【００５２】
この発明に係る請求項８に記載のエレベータの秤装置の調整方法は、請求項１又は２に記載のエレベータの秤装置の調整方法において、かごは、かごの下位で昇降路に固設された横梁に係止された垂設された連結部材を介して固定されるようにしたものである。
このものにあっても、テストウエイトに替わって横梁で代替したので、秤装置の調整作業が容易になる、という効果を奏する。
【図面の簡単な説明】
【図１】この発明の実施の形態１におけるエレベータの秤装置の調整方法を示す昇降路縦断面図。
【図２】この発明の実施の形態１におけるエレベータの秤装置の縦断面図。
【図３】この発明の実施の形態１におけるエレベータの秤装置の電気回路を示すブロック図。
【図４】差値演算手段３７の動作説明図。
【図５】補正値演算手段３８の動作説明図。
【図６】この発明の実施の形態１におけるエレベータの秤装置の調整方法の流れ図。
【図７】この発明の実施の形態２におけるエレベータの秤装置の電気回路を示すブロック図。
【図８】この発明の実施の形態２におけるエレベータの秤装置の調整方法の流れ図。
【図９】この発明の実施の形態３におけるエレベータの秤装置の調整方法を示す昇降路縦断面図。
【図１０】この発明の実施の形態４におけるエレベータの秤装置の調整方法を示す昇降路縦断面図。
【図１１】この発明の実施の形態５におけるエレベータの秤装置の調整方法を示す昇降路縦断面図。
【図１２】従来のエレベータの秤装置の調整方法における無負荷のかごを示す昇降路縦断面図。
【図１３】従来のエレベータの秤装置の調整方法におけるバランス負荷のかごを示す昇降路縦断面図。
【符号の説明】
１　昇降路、　　２　昇降路側壁、　　３　機械室床、　　４　巻上機、　　５　電動機、　　６　制動機、　　７　主索、　　８　ロープシャックル、　　１１　かご、　　１２　コイルばね、　　１３　かご枠、　　１３ａ　上枠、　１３ｂ　竪枠、　　１３ｃ　下枠、　　１４　かご室、　　１５　防振ゴム、１６　秤装置、　　２１　ガイドレール、　　２２　レールブラケット、　２３　制御ケーブル、　　２４　ケーブルハンガ、　　２５　アイボルト、　２６　ワイヤロープ、　　２７　フック、　　２８　シッャクル、　　３５　読取手段、　　３６　記録手段、　　３７　差値演算手段、　　３８　補正値演算手段、　　３９　補正手段、　　４０　積載荷重演算手段、　　４１　書替手段、　　４２　積載荷重演算手段、　　５１　横梁、　　５３　連結具、　　６１　チェーンプロック、　　６５　吊り車、　　６６　ロッド、　　６７　ロッド、　　６８　ターンバックル。
【図１】
2004099303.tif 000003
【図２】
2004099303.tif 000004
【図３】
2004099303.tif 000005
【図４】
2004099303.tif 000006
【図５】
2004099303.tif 000007
【図６】
2004099303.tif 000008
【図７】
2004099303.tif 000009
【図８】
2004099303.tif 000010
【図９】
2004099303.tif 000011
【図１０】
2004099303.tif 000012
【図１１】
2004099303.tif 000013
【図１２】
2004099303.tif 000014
【図１３】
2004099303.tif 000015